(57)【要約】      （修正有）【課題】丈が短くなるよう二つ折り包装を可能にして、運搬等の際に床に接触して汚したり、取次店の店頭で二つ折りすることなく、迅速に受け渡しでき、また縦長の収納スペースを必要とすることなく、引出し等に簡便に収納でき、更には材料の節減化やコストの低廉化を図ることができる立体包装用ハンガーを提供する。【解決手段】折り畳んだワイシャツ等のシャツ類１を二つ折り状に架ける下辺部２ａと、樹脂製の包装袋３を支持する上辺部２ｂとを備えて横長の長方形状に形成する枠部２と、この枠部２の上辺部２ｂのほぼ中央位置に枠部２と一体成型するフック４とで扁平に形成する。【選択図】図１
0003191006.tif 000002
【実用新案登録請求の範囲】
【請求項１】
折り畳まれたワイシャツ等のシャツ類が二つ折り状に架けられる下辺部と、樹脂製の包装袋を支持する上辺部とを備えて横長の長方形状に形成されている枠部と、この枠部の上辺部のほぼ中央位置に枠部と一体成型されているフックとで扁平に形成されていることを特徴とする立体包装用ハンガー。
【請求項２】
請求項1記載の立体包装用ハンガーであって、枠部とフックの内外の輪郭部が厚肉状に縁取られていることを特徴とする立体包装用ハンガー。
【請求項３】
請求項１又は２記載の立体包装用ハンガーであって、枠部とフックの厚みが、同一に形成されていることを特徴とする立体包装用ハンガー。
【考案の詳細な説明】
【技術分野】
【０００１】
本考案は、ハンガーに関し、更に詳しくはワイシャツ等のシャツ類を立体包装するのに使用する立体包装用ハンガーに関するものである。
【背景技術】
【０００２】
従来、この種のハンガーとしては、図８に示されるように、本体ａが横長状に形成され、その中央上辺が台形状の突き出され、この突き出し部ｂにフックｃが形成されているものがある（その他、例えば特許文献１参照）。
この従来品は、例えばワイシャツ等のシャツ類１が着せられ（同図Ａ参照）、左右の袖１ａと身頃の一部が内側に折り畳まれた状態で、樹脂製の包装袋３で立体包装するのに使用されるものである（同図Ｂ参照）。
【０００３】
従って、従来品の場合は、ワイシャツ等のシャツ類１が縦長に、丈が長く包装されるものであった。そのため、従来品を使用すると、運搬したり携帯する際に、洗濯物が床に接触し易かったから、洗濯物を床の埃等で汚し易い、という問題点があった。
【０００４】
また従来品は、上記の通り、ワイシャツ等のシャツ類１が縦長に包装されたから、クリーニング店から持ち帰る際に、洗濯物を持ち易くなるよう、二つ折りしてから手提げ袋等に入れることが多かった。
従って、従来品によると、洗濯物の受け渡し作業に煩わしさを伴う、という問題点があった。
【０００５】
また従来品は、このように丈が長く包装されたから、洗濯物を家で収納するとき、クローゼット等に、縦長の収納スペースが必要になる、という問題があった。
【０００６】
また従来品は、上記の通り、襟の型崩れを防止するため、本体ａに台形状の突き出し部ｂが形成されていた。従って、従来品の場合は、その分、成型用の樹脂材の量が増加し、コストが高くなるのを避けられなかった。
【先行技術文献】
【特許文献】
【０００７】
【特許文献１】実用新案登録第３０６５２７６号公報
【考案の概要】
【考案が解決しようとする課題】
【０００８】
本考案は、このような従来品の問題点に鑑み、提案されたものである。
従って、本考案の解決しようとする技術的課題は、丈が短くなるよう二つ折り包装を可能にして、運搬等の際に床に接触して汚したり、取次店の店頭で二つ折りすることなく、迅速に受け渡しでき、また縦長の収納スペースを必要とすることなく、引出し等に簡便に収納でき、更には材料の節減化やコストの低廉化を図ることができるよう形成した立体包装用ハンガーを提供することにある。
【課題を解決するための手段】
【０００９】
本考案は、上記の課題を解決するため、次のような技術的手段を採る。
即ち、本考案は、図１等に示されるように、折り畳まれたワイシャツ等のシャツ類１が二つ折り状に架けられる下辺部２ａと、樹脂製の包装袋３を支持する上辺部２ｂとを備えて横長の長方形状に形成されている枠部２と、この枠部２の上辺部２ｂのほぼ中央位置に枠部２と一体成型されているフック４とで扁平に形成されていることを特徴とする（請求項１）。
【００１０】
而して、本考案は、枠部２とフック４の内外の輪郭部５が厚肉状に縁取られているのが好ましい（請求項２）。
【００１１】
なぜならこの場合は、枠部２やフック４の強度を高めることができ、歪みや変形を防止できるからである。
【００１２】
また本考案の立体包装用ハンガーは、枠部２とフック４の厚みが、同一に形成されているのが好ましい（請求項３）。
【００１３】
なぜならこの場合は、強度を全体でバランス良く得られ、また包装工程で送り出したり移送するとき、或いは保管や運搬等の際に、ガタツクことを防止できるからである。
【考案の効果】
【００１４】
本考案は、このように折り畳まれたワイシャツ等のシャツ類が二つ折り状に架けられる下辺部と、樹脂製の包装袋を支持する上辺部とを備えて横長の長方形状に形成されている枠部と、この枠部の上辺部のほぼ中央位置に枠部と一体成型されているフックとで扁平に形成されているものである。
【００１５】
従って、本考案の場合は、枠部の下辺部に、ワイシャツを二つ折り状に掛け、上辺部に樹脂製の包装袋を支持させて包装することができる。
それ故、本考案は、ワイシャツ等の丈を短くして包装できるから、これによれば、運搬等の際に、洗濯物を床に接触させて汚すことがない。
【００１６】
また本考案の場合は、取次店の店頭で二つ折りすることなく、迅速に受け渡しでき、縦長の収納スペースを必要とすることなく、引出し等に入れて簡便に収納できる。
更に本考案の場合は、襟の型崩れを防止するための突き出し部を省略できるから、これによれば、材料の節減化やコストの低廉化を図ることができる。
【図面の簡単な説明】
【００１７】
【図１】本考案の立体包装用ハンガーの好適な一実施形態を示す使用状態時の正面図である。
【図２】同上ハンガーの斜視図である。
【図３】同上ハンガーの平面図である。
【図４】同上ハンガーの背面図である。
【図５】図４のＶ−Ｖ線における断面図である。
【図６】図４のＶＩ−ＶＩ線における断面図である。
【図７】同上ハンガーの使用状態時の背面図である。
【図８】従来品の使用状態を示し、Ａは包装前の正面図、Ｂは包装後の正面図である。
【考案を実施するための形態】
【００１８】
以下、本考案を実施するための好適な一実施形態を、添付図面に従って説明する。
図１等において、１は、折り畳まれたワイシャツ等のシャツ類である。２は、このワイシャツ等のシャツ類１が二つ折り状に架けられる下辺部２ａと、樹脂製の包装袋３を支持する上辺部２ｂとを備えて横長の長方形状に形成されている枠部である。
【００１９】
また４は、この枠部２の上辺部２ｂのほぼ中央位置に枠部２と樹脂材で一体成型されているフックである。このフック４の下部４ａは、下方に向かって末広がり状に形作られ、枠部２の上辺部２ｂに接続されている。本考案の立体包装用ハンガーは、上記の枠部２とフック４とで扁平に形成されている。
【００２０】
またこの実施形態の本考案品は、強度が高くなるよう、枠部２とフック４の内外の輪郭部５が、厚肉状に縁取られている。また枠部２とフック４の厚みは、同一に形成されている。
【００２１】
次に、この実施形態の本考案品の使用例を説明する。
【００２２】
本考案品の立体包装用ハンガーは、図１、図７に示されるように、枠部２の下辺部２ａに、ワイシャツ等のシャツ類１が両袖と身頃の一部が内側に折り畳まれた状態で二つ折り状に掛けられるものである。
【００２３】
フック４は、立体包装機の所定箇所に引っ掛けられる。そして本考案品は、ワイシャツ等のシャツ類１を備えて立体包装機に吊るされた状態で、ロール形に巻回されている筒状の包装袋３が上から被せられ、シャツ類１と一緒に包装される。なお、包装袋３は、枠部２の上辺部２ｂの上側と、シャツ類１の下側の位置が溶着されると共に切断される。
【００２４】
このように本考案品は、枠部２の下辺部２ａに、シャツ類１が二つ折り状に掛けられた状態で包装される。従って、本考案の場合は、包装品の丈を短くできるから、これによれば、持ち運び等の際に床を擦ることがない。また取次店では、二つ折りすることなく直ぐに受け渡すことができる。また家で収納するときも、包装品のまま、引出し等に入れて簡便に収納できる。
【００２５】
また本考案品は、上記の通り、枠部２の下辺部２ａに二つ折り状に掛けて使用するものである。従って、本考案の場合は、従来品では必要とした襟の型崩れ防止用の台形状部を省略できるから、これによれば、従来品に比べ、成型用の樹脂材の量を減らすことができ、コストの低廉化を図ることができる。
【００２６】
以上の処において、本考案の場合、枠部２やフック４の厚み、枠部２の縦横の寸法等は、適宜選定されるので良い。
【符号の説明】
【００２７】
１      ワイシャツ等のシャツ類
２      枠部
２ａ    下辺部
２ｂ    上辺部
３      包装袋
４      フック
５      内外の輪郭部
【図１】
0003191006.tif 000003
【図２】
0003191006.tif 000004
【図３】
0003191006.tif 000005
【図４】
0003191006.tif 000006
【図５】
0003191006.tif 000007
【図６】
0003191006.tif 000008
【図７】
0003191006.tif 000009
【図８】
0003191006.tif 000010